(57)【特許請求の範囲】
【請求項１】
画像を投写して表示するプロジェクターと、
当該プロジェクターを吊り下げ、支持する天吊装置と、を備え、
前記プロジェクターは、
投写光を遮断する開閉式のシャッターを備え、
当該天吊装置は、
前記プロジェクターの前記シャッターを開閉操作するシャッター開閉部を備えたことを特徴とする、プロジェクターシステム。
【請求項２】
請求項１に記載のプロジェクターシステムであって、
前記プロジェクターは、
前記プロジェクターの動作を統括制御する制御部と、
ユーザーの遠隔操作を受け付ける操作部と、
をさらに備え、
前記制御部は、前記操作部に所定の操作が入力された場合に、当該天吊装置に前記シャッター開閉部の開閉動作を指示することを特徴とする、プロジェクターシステム。
【請求項３】
請求項２に記載のプロジェクターシステムであって、
前記プロジェクターは、異常発生を報知する報知部をさらに備え、
前記天吊装置は、前記シャッター開閉部の開閉動作時に異常が発生したことを検出する異常検出部をさらに備え、
前記報知部は、前記シャッター開閉部の開閉動作時に異常が発生した場合に、その旨を報知することを特徴とする、プロジェクターシステム。
【請求項４】
請求項１に記載のプロジェクターシステムであって、
前記天吊装置は、
ユーザーの遠隔操作を受け付ける操作部と、
前記操作部に所定の操作が入力された場合に、前記シャッター開閉部の開閉動作を行うシャッター制御部と、をさらに備えたことを特徴とする、プロジェクターシステム。
【請求項５】
請求項１からの４のいずれかに記載のプロジェクターシステムであって、
前記天吊装置は、
商用電源に接続され、前記プロジェクターの電源部に電力を供給する電源制御部をさらに備えたことを特徴とする、プロジェクターシステム。
【請求項６】
画像を投写して表示するプロジェクターと、
当該プロジェクターを吊り下げ、支持する天吊装置と、を備えるプロジェクターシステムの制御方法であって、
前記プロジェクターは、
投写光を遮断する開閉式のシャッターを備え、
当該天吊装置は、
前記プロジェクターの前記シャッターを開閉操作するシャッター開閉機構部を備え、
前記プロジェクターが所定の操作を検出すると、前記シャッター開閉機構部により、前記シャッターの開閉動作を行う、シャッター開閉ステップを備えたことを特徴とする、プロジェクターシステムの制御方法。
【発明の詳細な説明】
【技術分野】
【０００１】
本発明は、プロジェクターシステム、プロジェクターの天吊装置、およびプロジェクターシステムの制御方法に関する。
【背景技術】
【０００２】
従来、プロジェクターにおいて使用しないときに投写レンズを保護するため、開閉式のシャッターを備えたものが知られている（例えば、特許文献１参照）。
【０００３】
このようなプロジェクターによれば、使用しないときや運搬中に、レンズシャッターを閉塞することで、投写レンズを保護することができる。
【先行技術文献】
【特許文献】
【０００４】
【特許文献１】特開２００９−１５７１１２号公報
【発明の概要】
【発明が解決しようとする課題】
【０００５】
しかし、プロジェクターを天吊設置で使用する場合は、レンズシャッターの開閉を手動で行うことができないので、使用していないときもレンズが露出することになり、また、レンズ開口部より埃が侵入するという問題があった。レンズシャッターを電動で開閉する機構を装備する方法もあるが、複雑な機構が必要になるうえ、プロジェクターを机上で使う場合には不要であり、コストアップになってしまうという問題があった。
【課題を解決するための手段】
【０００６】
本発明は、上述の課題の少なくとも一部を解決するためになされたものであり、以下の形態または適用例として実現することが可能である。
【０００７】
［適用例１］本適用例に係るプロジェクターシステムは、画像を投写して表示するプロジェクターと、当該プロジェクターを吊り下げ、支持する天吊装置と、を備え、前記プロジェクターは、投写光を遮断する開閉式のシャッターを備え、当該天吊装置は、前記プロジェクターの前記シャッターを開閉操作するシャッター開閉部を備えたことを特徴とする。
【０００８】
本適用例によれば、プロジェクターを天吊設置で使用している際に、投写レンズを保護するシャッターの開閉動作を行うことが可能となる。
【０００９】
［適用例２］上記適用例に記載のプロジェクターシステムにおいて、前記プロジェクターは、前記プロジェクターの動作を統括制御する制御部と、ユーザーの遠隔操作を受け付ける操作部と、をさらに備え、前記制御部は、前記操作部に所定の操作が入力された場合に、当該天吊装置に前記シャッター開閉部の開閉動作を指示することを特徴とする。
【００１０】
本適用例によれば、プロジェクターの遠隔操作により、天吊装置のシャッター開閉部を操作してシャッターの開閉動作を行う。これにより、使用していないときだけでなく、投写中に画面ミュートをする際にもシャッターを閉塞することが可能となる。
【００１１】
［適用例３］上記適用例に記載のプロジェクターシステムにおいて、前記プロジェクターは、異常発生を報知する報知部をさらに備え、前記天吊装置は、前記シャッター開閉部の開閉動作時に異常が発生したことを検出する異常検出部をさらに備え、前記報知部は、前記シャッター開閉部の開閉動作時に異常が発生した場合に、その旨を報知することを特徴とする。
【００１２】
本適用例によれば、シャッター開閉部の開閉動作中に異常が発生した場合に報知するので、なんらかの要因でシャッター開閉部が正常に開閉できない状態になったことをユーザーに知らせることが可能となる。
【００１３】
［適用例４］上記適用例に記載のプロジェクターシステムにおいて、前記天吊装置は、ユーザーの遠隔操作を受け付ける操作部と、前記操作部に所定の操作が入力された場合に、前記シャッター開閉部の開閉動作を行うシャッター制御部と、をさらに備えたことを特徴とする。
【００１４】
本適用例によれば、プロジェクターが電源オフしている状態でもシャッターの開閉動作を行うことができる。これにより、なんらかの要因でプロジェクターが故障した場合においても、シャッター開閉部の開閉動作を行い、投写レンズを保護することが可能となる。
【００１５】
［適用例５］上記適用例に記載のプロジェクターシステムにおいて、前記天吊装置は、商用電源に接続され、前記プロジェクターの電源部に電力を供給する電源制御部をさらに備えたことを特徴とする。
【００１６】
本適用例によれば、天吊装置からプロジェクターに電源を供給することができる。これにより、プロジェクターを天吊設置する場合の電源配線を簡易にすることが可能となる。
【００１９】
［適用例７］本適用例に係るプロジェクターシステムの制御方法は、画像を投写して表示するプロジェクターと、当該プロジェクターを吊り下げ、支持する天吊装置と、を備えるプロジェクターシステムの制御方法であって、前記プロジェクターは、投写光を遮断する開閉式のシャッターを備え、当該天吊装置は、前記プロジェクターの前記シャッターを開閉操作するシャッター開閉機構部を備え、前記プロジェクターが所定の操作を検出すると、前記シャッター開閉機構部により、前記シャッターの開閉動作を行う、シャッター開閉ステップを備えたことを特徴とする。
【００２０】
本適用例によれば、プロジェクターを天吊設置で使用している際に、投写レンズを保護するシャッターの開閉動作を行うことが可能となる。
【図面の簡単な説明】
【００２１】
【図１】プロジェクターシステムのシャッター開閉状態を示す図。（ａ）は斜視図、（ｂ）は正面図。
【図２】プロジェクターシステムの概略構成を示すブロック図。
【図３】プロジェクターシステムの動作を示すフローチャート。（ａ）は電源オン時、（ｂ）は電源オフ時の動作を示す。
【図４】プロジェクターシステムの画面ミュート時の動作を示すフローチャート。（ａ）は画面ミュート設定時、（ｂ）は画面ミュート解除時の動作を示す。
【発明を実施するための形態】
【００２２】
以下、図面を参照して本発明の一実施形態について説明するが、以下の実施形態は特許請求の範囲にかかる発明を限定するものではなく、また、実施形態における特徴の組み合わせの全てが発明の解決手段に必須であるとは限らない。
【００２３】
（第１実施形態）
図１（ａ）、（ｂ）は本実施形態のプロジェクターシステムのシャッター開閉状態を示す図である。
図１に示すように、本実施形態のプロジェクターシステムは画像を投写して表示するプロジェクター１と、プロジェクター１を、例えば天井などから吊り下げ、支持する天吊装置３０とを含み構成される。また、プロジェクター１は後述する構成部材を内部に収容した筐体を天吊装置３０に支持され、天吊される。
プロジェクター１の投写側である筐体前面の開口部には、投写レンズ１３が露出しており、スライド式のシャッター５により、投写レンズ１３を保護することができる。シャッター５はシャッターつまみ５ａを保持して移動することで、開閉操作する。
【００２４】
天吊装置３０には、プロジェクター１のシャッター５を開閉するためのシャッター開閉部３１が備えられており、シャッター開閉部３１には開閉アーム３１ａと開閉アーム移動部３１ｂとが収納されている。
開閉アーム３１ａの先端はフック等（図示せず）でシャッターつまみ５ａと接続され、開閉アーム移動部３１ｂが開閉アーム３１ａを送り出し、または引き込むことでシャッター５を開閉する。開閉アーム移動部３１ｂは駆動モーター、搬送ギヤなどで構成される（いずれも図示せず）。
プロジェクター１と天吊装置３０はコネクター３４で接続され、通信を行うようになっている。
【００２５】
図２は本実施形態のプロジェクターシステムの概略構成を示すブロック図である。
図２に示すように、プロジェクター１は、画像投写部１０、制御部２０、記憶部２１、光源制御部２２、操作部としての入力操作部２３、画像信号入力部２、画像信号処理部３、ＯＳＤ処理部４、シャッター５、報知部１５、通信部１６等で構成されており、これらは図示しないプロジェクター１の筐体の内部に収容されている。
天吊装置３０は、シャッター開閉部３１、異常検出部３３、シャッター制御部３５等で構成されており、異常検出部３３、シャッター制御部３５等は図示しない天吊装置３０の筐体の内部に収容されている。
【００２６】
画像投写部１０は、光源１１、光変調装置としての３つの液晶ライトバルブ１２Ｒ、１２Ｇ、１２Ｂ、投写光学系としての投写レンズ１３、液晶駆動部１４等を含んでいる。画像投写部１０は、光源１１から射出された光を、液晶ライトバルブ１２Ｒ、１２Ｇ、１２Ｂで変調して画像光を形成し、この画像光を投写レンズ１３から投写することによってスクリーンＳＣ等に画像を表示する。
【００２７】
光源１１は、超高圧水銀ランプやメタルハライドランプ等からなる放電型の光源ランプ１１ａと、光源ランプ１１ａが放射した光を液晶ライトバルブ１２Ｒ、１２Ｇ、１２Ｂ側に反射するリフレクター１１ｂとを含んで構成されている。光源１１から射出された光は、図示しないインテグレーター光学系によって輝度分布が略均一な光に変換され、図示しない色分離光学系によって光の３原色である赤色（Ｒ）、緑色（Ｇ）、青色（Ｂ）の各色光成分に分離された後、それぞれ液晶ライトバルブ１２Ｒ、１２Ｇ、１２Ｂに入射する。
【００２８】
液晶ライトバルブ１２Ｒ、１２Ｇ、１２Ｂは、一対の透明基板間に液晶が封入された液晶パネル等によって構成される。液晶ライトバルブ１２Ｒ、１２Ｇ、１２Ｂには、マトリックス状に配列された複数の画素（図示せず）が形成されており、液晶に対して画素毎に駆動電圧を印加可能になっている。液晶駆動部１４が、入力される画像情報に応じた駆動電圧を各画素に印加すると、各画素は、画像情報に応じた光透過率に設定される。
【００２９】
このため、光源１１から射出された光は、この液晶ライトバルブ１２Ｒ、１２Ｇ、１２Ｂを透過することによって変調され、画像情報に応じた画像光が色光毎に形成される。形成された各色の画像光は、図示しない色合成光学系によって画素毎に合成されてカラーの画像光となった後、投写レンズ１３によってスクリーンＳＣ等に拡大投写される。
【００３０】
上述した実施形態では、光源としてランプを用いて投写するプロジェクター１を例示したが、本発明は光源としてＬＥＤ（Light Emitting Diode）光源やレーザー光源などを用いて投写するプロジェクターにも適用することができる。なお、上述の実施形態では、画像投写部１０は、光源１１、光変調装置としての３つの液晶ライトバルブ１２Ｒ，１２Ｇ，１２Ｂを用いた透過型液晶方式の投写光学系を例示したが、反射型液晶表示方式やマイクロミラーデバイス方式（ライトスイッチ表示方式）など、他の表示方式の光変調装置を採用しても良い。
【００３１】
制御部２０は、ＣＰＵ（Central Processing Unit）や、各種データ等の一時記憶に用いられるＲＡＭ（Random Access Memory）等を備え、記憶部２１に記憶されている制御プログラム（図示せず）に従って動作することによりプロジェクター１の動作を統括制御する。つまり、制御部２０は、記憶部２１とともにコンピューターとして機能する。
【００３２】
記憶部２１は、フラッシュメモリーやＦｅＲＡＭ（Ferroelectric RAM：強誘電体メモリー）等の書き換え可能な不揮発性のメモリーにより構成されている。記憶部２１には、プロジェクター１の動作を制御するための制御プログラムや、プロジェクター１の動作条件等を規定する各種設定データ等が記憶されている。記憶部２１には設定データとして、シャッター開閉を行うかどうかを示す、シャッター開閉モード２１ａが保存される。シャッター開閉モード２１ａは、プロジェクター１が天吊設定され、天吊装置のシャッター開閉部３１によりシャッター５の開閉を行う場合に有効に設定される。
【００３３】
入力操作部２３は、プロジェクター１が、ユーザーからの入力操作を受け付けるものであり、ユーザーがプロジェクター１に対して各種指示を行うための複数の操作キーを備えている。入力操作部２３は、プロジェクター１の筐体外面に備えられる本体キー、または遠隔操作で入力操作を行うリモートコントローラー（リモコン）で構成する事ができる。
入力操作部２３が備える複数の操作キーとしては、電源のオン・オフを交互に切り替えるための電源キーや、複数の画像信号入力部２に入力される画像入力端子を切り替えるための入力切替キー、各種設定を行うための設定メニューを重畳表示させるメニューキー、メニューからユーザーが設定項目を選択するカーソルキー、決定キー、エスケープキー、また、投写を中断する画面ミュートキー等がある。
ユーザーが入力操作部２３の各種操作キーを操作すると、入力操作部２３は、ユーザーの操作内容に応じた操作信号を制御部２０に出力する。
【００３４】
画像信号入力部２は、複数の画像入力端子を備えており、各画像入力端子より、ビデオ再生装置やパーソナルコンピューター等、外部の画像出力装置から、図示しないケーブルを介して画像情報が入力される。
【００３５】
画像信号処理部３は、画像信号入力部２から入力される画像情報を、液晶ライトバルブ１２Ｒ、１２Ｇ、１２Ｂの各画素の階調を表す画像情報に変換する。ここで、変換された画像情報は、Ｒ、Ｇ、Ｂの色光別になっており、各液晶ライトバルブ１２Ｒ、１２Ｇ、１２Ｂのすべての画素に対応する複数の画素値によって構成されている。画素値とは、対応する画素の光透過率を定めるものであり、この画素値によって、各画素を透過し射出する光の強弱（階調）が規定される。
【００３６】
ＯＳＤ処理部４は、制御部２０の指示に基づいて、投写画像上に、メニュー画像やメッセージ画像等のＯＳＤ（オンスクリーンディスプレイ）画像を重畳して表示するための処理を行う。ＯＳＤ処理部４は、図示しないＯＳＤメモリーを備えており、ＯＳＤ画像を形成するための図形やフォント等を表すＯＳＤ画像情報を記憶している。
制御部２０が、ＯＳＤ画像の重畳表示を指示すると、ＯＳＤ処理部４は、必要なＯＳＤ画像情報をＯＳＤメモリーから読み出し、投写画像上の所定の位置にＯＳＤ画像が重畳されるように、画像信号処理部３から入力される画像情報にこのＯＳＤ画像情報を合成する。ＯＳＤ画像情報が合成された画像情報は、液晶駆動部１４に出力される。
なお、制御部２０からＯＳＤ画像を重畳する旨の指示がない場合には、ＯＳＤ処理部４は、画像信号処理部３から入力される画像情報を、そのまま液晶駆動部１４に出力する。
【００３７】
液晶駆動部１４は、本実施形態における画像形成部であり、ＯＳＤ処理部４から入力される画像情報に従って液晶ライトバルブ１２Ｒ、１２Ｇ、１２Ｂを駆動すると、液晶ライトバルブ１２Ｒ、１２Ｇ、１２Ｂは、画像情報に応じた画像を形成し、この画像が投写レンズ１３から投写される。
【００３８】
通信部１６は、天吊装置３０のシャッター制御部３５と通信し、シャッター５を開閉するためのコマンド送信、応答受信を行う。
【００３９】
報知部１５は、ＬＥＤ、ブザーなどで構成され、制御部２０からの指示により、シャッター５の開閉時に異常が発生したことをユーザーに報知する。
【００４０】
光源制御部２２は、制御部２０の指示に基づいて、光源１１に対する電力の供給と停止とを制御し、光源１１の点灯、及び消灯を切り替える。
【００４１】
シャッター制御部３５は、通信部１６からのコマンド要求により、シャッター５の開動作または閉動作をシャッター開閉部３１に指示する。また、シャッター開閉部３１の動作が正常に終了したか、異常が発生したかの応答を返す。
【００４２】
シャッター開閉部３１は、上述したように、シャッター制御部３５からの指示により、開閉アーム３１ａを所定量、引き込み、または送り出すことでシャッター５を開閉させる。
【００４３】
次に、本実施形態のプロジェクターシステムの動作を図３のフローチャートを用いて説明する。
【００４４】
（電源オン時の動作）
図３（ａ）に示すように、プロジェクター１が入力操作部２３への電源オン操作を検出すると（ステップＳ１０１）、制御部２０はシャッター開閉モード２１ａが有効（設定）になっているか否かを調べる（ステップＳ１０２）。シャッター開閉モード２１ａが有効になっている場合は（ステップＳ１０２：Ｙ）、ステップＳ１０３に移行する。一方、シャッター開閉モード２１ａが有効になっていない場合（ステップＳ１０２：Ｎ）、ステップＳ１０５に移行する。
【００４５】
そして、制御部２０は、通信部１６を介し、シャッター制御部３５にシャッターの開動作コマンドを送信する。シャッター制御部３５はシャッター開閉部３１に指示して開閉アーム３１ａを所定量引き込み、シャッター開動作を行う（ステップＳ１０３）。
シャッター制御部３５はシャッター開閉部３１の動作後、異常検出部３３が異常を検出した場合は異常発生を、検出していない場合は正常終了を応答として制御部２０に返す。
【００４６】
ステップＳ１０４において制御部２０は、シャッター５の開動作要求に対するシャッター制御部３５からの応答を調べる。正常に終了した場合（ステップＳ１０４：Ｙ）は、ステップＳ１０５に移行する。一方、正常に終了しなかった場合（ステップＳ１０４：Ｎ）は、報知部１５により、異常発生を報知し（ステップＳ１０６）、その後電源をオフし、スタンバイ状態に移行する（ステップＳ１０７）。
【００４７】
ステップＳ１０５において制御部２０は、ランプＯＮして入力画像の投写を開始し、本フローを終了する。
【００４８】
（電源オフ時の動作）
図３（ｂ）に示すように、プロジェクター１が入力操作部２３への電源オフ操作を検出すると（ステップＳ２０１）、制御部２０は光源１１（ランプ）を消灯し（ステップＳ２０２）、その後シャッター開閉モード２１ａが有効（設定）になっているか否かを調べる（ステップＳ２０３）。シャッター開閉モード２１ａが有効になっている場合は（ステップＳ２０３：Ｙ）、ステップＳ２０４に移行する。一方、シャッター開閉モード２１ａが有効になっていない場合（ステップＳ２０３：Ｎ）、ステップＳ２０７に移行する。
【００４９】
そして制御部２０は、通信部１６を介し、シャッター制御部３５にシャッター閉動作コマンドを送信する。シャッター制御部３５はシャッター開閉部３１に指示して開閉アーム３１ａを所定量送り出し、シャッター閉動作を行う（ステップＳ２０４）。
シャッター制御部３１はシャッター開閉部３１の動作後、異常検出部３３が異常を検出した場合は異常発生を、検出していない場合は正常終了を応答として制御部２０に返す。
【００５０】
ステップＳ２０５において制御部２０は、シャッター５の閉動作要求に対するシャッター制御部３５からの応答を調べる。正常に終了した場合（ステップＳ２０５：Ｙ）は、ステップＳ２０７に移行する。一方、正常に終了しなかった場合（ステップＳ２０５：Ｎ）は、報知部１５により、所定時間、異常発生を報知し（ステップＳ２０６）、ステップＳ２０７に移行する。
【００５１】
ステップＳ２０７において制御部２０は、プロジェクター１の電源をオフし、スタンバイ状態に移行し、本動作フローを終了する。
【００５２】
次に、本実施形態のプロジェクターシステムの画面ミュート時の動作を図４のフローチャートを用いて説明する。
【００５３】
（画面ミュート設定時の動作）
図４（ａ）に示すように、プロジェクター１が入力操作部２３への画面ミュート操作を検出すると（ステップＳ３０１）、制御部２０は画像投写部１０に黒画面を投写するなどミュート状態にし（ステップＳ３０２）、その後シャッター開閉モード２１ａが有効（設定）になっているか否かを調べる（ステップＳ３０３）。シャッター開閉モード２１ａが有効になっている場合は（ステップＳ３０３：Ｙ）、ステップＳ３０４に移行する。一方、シャッター開閉モード２１ａが有効になっていない場合（ステップＳ３０３：Ｎ）、ステップＳ３０７に移行する。
【００５４】
そして制御部２０は、通信部１６を介し、シャッター制御部３５にシャッター閉動作コマンドを送信する。シャッター制御部３５はシャッター開閉部３１に指示して開閉アーム３１ａを所定量送り出し、シャッター閉動作を行う（ステップＳ３０４）。
シャッター制御部３１はシャッター開閉部３１の動作後、異常検出部３３が異常を検出した場合は異常発生を、検出していない場合は正常終了を応答として制御部２０に返す。
【００５５】
ステップＳ３０５において制御部２０は、シャッター５の閉動作要求に対するシャッター制御部３５からの応答を調べる。正常に終了した場合（ステップＳ３０５：Ｙ）は、ステップＳ３０７に移行する。一方、正常に終了しなかった場合（ステップＳ３０５：Ｎ）は、報知部１５により、異常発生を報知し（ステップＳ３０６）、ステップＳ３０７に移行する。
【００５６】
ステップＳ３０７において制御部２０は、元の処理に戻り、本動作フローを終了する。
【００５７】
（画面ミュート解除時の動作）
図４（ｂ）に示すように、プロジェクター１が入力操作部２３への画面ミュート解除操作を検出すると（ステップＳ４０１）、制御部２０はシャッター開閉モード２１ａが有効（設定）になっているか否かを調べる（ステップＳ４０２）。シャッター開閉モード２１ａが有効になっている場合は（ステップＳ４０２：Ｙ）、ステップＳ４０３に移行する。一方、シャッター開閉モード２１ａが有効になっていない場合（ステップＳ４０２：Ｎ）、ステップＳ４０６に移行する。
【００５８】
そして制御部２０は、通信部１６を介し、シャッター制御部３５にシャッターの開動作コマンドを送信する。シャッター制御部３５はシャッター開閉部３１に指示して開閉アーム３１ａを所定量引き込み、シャッター開動作を行う（ステップＳ４０３）。
シャッター制御部３１はシャッター開閉部３１の動作後、異常検出部３３が異常を検出した場合は異常発生を、検出していない場合は正常終了を応答として制御部２０に返す。
【００５９】
ステップＳ４０４において制御部２０は、シャッター５の開動作要求に対するシャッター制御部３５からの応答を調べる。正常に終了した場合（ステップＳ４０４：Ｙ）は、ステップＳ４０６に移行する。一方、正常に終了しなかった場合（ステップＳ４０４：Ｎ）は、報知部１５により、異常発生を報知し（ステップＳ４０５）、ステップＳ４０７に移行する。
【００６０】
ステップＳ４０６において制御部２０は、入力画像の投写を開始（画面ミュートの解除）し、ステップＳ４０７に移行する。
ステップＳ４０７において、本フローを終了する。
【００６１】
以上、説明したように、本実施形態のプロジェクターシステムによれば、天吊設置３０で支持したプロジェクター１を使用している際に、投写レンズ１３を保護するシャッター５の開閉動作を行うことが可能となる。また、シャッター５の開閉動作中に異常が発生した場合には報知するので、ユーザーに対し、なんらかの要因でシャッター５の開閉動作ができなかったことを知らせることが可能となる。
【００６２】
（変形例１）
また、上記実施形態は、以下のように変更してもよい。
【００６３】
上述した実施形態においては、プロジェクター１への操作により、シャッター５の開閉動作を行うが、天吊装置３０側に入力操作部２３を備え、ユーザーの天吊装置３０への操作または、遠隔操作により、シャッターの開閉動作を行うようにしてもよい。
本変形例によれば、プロジェクター１が電源オフの状態であってもシャッター５の開閉動作を行うことができる。これにより、なんらかの要因でプロジェクター１が故障した場合においても、シャッター５の開閉動作を行い、投写レンズ１３を保護することが可能となる。
【符号の説明】
【００６４】
１…プロジェクター、２…画像信号入力部、３…画像信号処理部、４…ＯＳＤ処理部、５…シャッター、１０…画像投写部、１１…光源、１２Ｒ，１２Ｇ，１２Ｂ…液晶ライトバルブ、１３…投写レンズ、１４…液晶駆動部、１５…報知部、１６…通信部、２０…制御部、２１…記憶部、２２…光源制御部、２３…入力操作部、３０…天吊装置、３１…シャッター開閉部、３１ａ…開閉アーム、３１ｂ…開閉アーム移動部、３３…異常検出部、３４…コネクター、３５…シャッター制御部。
【図１】
0005625950.tif 000002
【図２】
0005625950.tif 000003
【図３】
0005625950.tif 000004
【図４】
0005625950.tif 000005